(57)【要約】【課題】  厚身のリング部を有する宝飾品から細身のリング部を有する宝飾品まで同じ強さで良好に固定・展示できる宝飾品の展示台を提供する。【解決手段】  上面が開口された箱状の展示台本体の内部において、（１）展示台本体の特定の側壁部Ａと、これに対向する側壁部Ｂとの間を進退移動できる可動部材を設け、（２）側壁部Ａと可動部材との間には、可動部材を側壁部Ｂ方向へ付勢するバネを設け、（３）可動部材における側壁部Ｂ側の挟着面と側壁部Ｂとの間に宝飾品固定用のスリット状の差し込み部を構成した宝飾品の展示台。【選択図】      図４  
2006006441.tif 000002
【特許請求の範囲】
【請求項１】
上面が開口された箱状の展示台本体の内部において、
（１）展示台本体の特定の側壁部Ａと、これに対向する側壁部Ｂとの間を進退移動できる可動部材を設け、
（２）側壁部Ａと可動部材との間には、可動部材を側壁部Ｂ方向へ付勢するバネを設け、
（３）可動部材における側壁部Ｂ側の挟着面と側壁部Ｂとの間に宝飾品固定用のスリット状の差し込み部を構成した、ことを特徴とする宝飾品の展示台。
【請求項２】
前記箱状の展示台本体の上面開口部において、側壁部Ａ及び側壁部Ｂからは一定幅の内向きのフランジ部を形成し、可動部材における前記挟着面と側壁部Ｂのフランジ部先端との間に前記スリット状の差し込み部を構成すると共に、側壁部Ａのフランジ部先端を可動部材に対するストッパーとしたことを特徴とする請求項１に記載の宝飾品の展示台。
【請求項３】
前記箱状の展示台本体の上面開口部、側壁部Ａと側壁部Ｂのフランジ部及びスリット状の差し込み部の内部を、柔軟材料を用いた表面装飾材で被覆したことを特徴とする請求項１又は請求項２に記載の宝飾品の展示台。
【請求項４】
前記箱状の展示台本体を、これよりややサイズが大きく上面が開口された外箱の内部に収納したことを特徴とする請求項１〜請求項３のいずれかに記載の宝飾品の展示台。
【請求項５】
前記バネが圧縮状態のコイルバネであって、このコイルバネを可動部材より側壁部Ａ方向へ突出させた軸棒に嵌合したことを特徴とする請求項１〜請求項４のいずれかに記載の宝飾品の展示台。
【請求項６】
前記軸棒を、側壁部に設けた孔に貫通させて展示台本体の外側まで突出させたことを特徴とする請求項５に記載の宝飾品の展示台。
【請求項７】
単一の展示台を収納するための、カバー蓋を有し又は有しないケース本体内に、請求項１〜請求項６のいずれかに記載の宝飾品の展示台を収納したことを特徴とする宝飾品展示用ケース。
【請求項８】
カバー蓋を有し、又は有しないケース本体内に、多数の窓枠を有するフレームを設け、これらの窓枠に請求項１〜請求項６のいずれかに記載の宝飾品の展示台を嵌め込んだことを特徴とする宝飾品展示用ケース。
【発明の詳細な説明】
【技術分野】
【０００１】
本発明は宝飾品の展示台及び宝飾品展示用ケースに関する。更に詳しくは本発明は、指輪、宝石付き指輪その他の少なくともリング部を有する宝飾品を、そのリング部を差し込んで保持することにより固定的に展示することができる宝飾品の展示台と、このような展示台を多数収納した宝飾品展示用ケースに関する。
【０００２】
これらの展示台は、単独で、又は宝飾品展示用ケースに多数収納した状態で、宝飾品の収納・保管用、宝飾品のセールス時における携帯用、宝飾品店の店頭やデパートの宝飾品売り場等における展示用等として用いることができる。
【背景技術】
【０００３】
従来の指輪の展示台においては、一般的に、スポンジ材で裏打ちされた飾り布等を用いて展示台を構成し、このような展示台に指輪のリング部を差し込むためのスリット状差し込み部を設けていた。そして、差し込み部に差し込んだ指輪はスポンジ材等の鋏着力で固定されるようになっていた。
【０００４】
【特許文献１】特開２００３−２３０４６７号公報  上記の特許文献１には、枠体と底板によって形成される筐体の内部に、指輪のリングを差し込んで弾性的に挟持できる宝飾品支持部を多数設けた、宝飾品収納ケースが開示されている。上記の宝飾品支持部は、圧縮性あるいは変形性の材料の間にスリットを設けた差し込み部であり、典型的な従来タイプのリング差し込み部を構成している。
【０００５】
【特許文献２】特開２００３−３１０３２８号公報  上記の特許文献２に開示された指輪類の展示収納具においては、肉厚が１ｍｍ位で直径が１４〜２０ｍｍ位の軟質プラスチックス製パイプを０〜３ｍｍ位の相互間隔で基板上に多数並列固定させ、これらのパイプの間隙部を差し込み部として、そこに指輪を挿入しパイプの弾力性により保持するようになっている。
【発明の開示】
【発明が解決しようとする課題】
【０００６】
（問題点）
しかし上記の各種の従来技術においては、差し込み部のスリットが圧縮や変形の可能な材料で構成されているとは言え、スリットの幅自体は固定的で変更することができない。
【０００７】
そのため、第１の不具合として、差し込み部の構成部材における圧縮・変形の僅かな許容範囲を超える厚さのリング部を有する宝飾品は、差し込むことが困難であった。又、第２の不具合として、上記の許容範囲の限界に近い厚身のリング部を有する宝飾品に対してはかなり強い固定強度を示し（差し込み、抜き取りを行い難く）、反面、細身のリング部を有する宝飾品に対しては固定強度がかなり弱い（勝手に抜け落ち易い）と言う問題もあった。
【０００８】
更に、より実際的な第３の不具合として、比較的厚身のリング部を有する宝飾品を差し込んで展示している間に、スリットが圧縮歪みや変形歪みにより拡張してしまい、その後に比較的細身のリング部を有する宝飾品を差し込むと有効に挟持できない、と言う問題もあった。このような問題が起こると、展示台やこれを収納した展示用ケースは、その後、事実上使用できなくなってしまう。
【０００９】
（着眼点）
そこで本発明は、上記の第１及び第２の不具合を解消することを、解決すべき技術的課題とする。本願発明者は、スリットを構成する片側の部材をバネ付きの可動部材とし、可動部材がバネの付勢力を受けつつ宝飾品リング部の厚さに応じて往復移動する、と言う構成により、上記の課題を解決した。
【課題を解決するための手段】
【００１０】
（第１発明の構成）
上記課題を解決するための本願第１発明の構成は、上面が開口された箱状の展示台本体の内部において、
（１）展示台本体の特定の側壁部Ａと、これに対向する側壁部Ｂとの間を進退移動できる可動部材を設け、
（２）側壁部Ａと可動部材との間には、可動部材を側壁部Ｂ方向へ付勢するバネを設け、
（３）可動部材における側壁部Ｂ側の挟着面と側壁部Ｂとの間に宝飾品固定用のスリット状の差し込み部を構成した、宝飾品の展示台である。
【００１１】
（第２発明の構成）
上記課題を解決するための本願第２発明の構成は、前記第１発明に係る箱状の展示台本体の上面開口部において、側壁部Ａ及び側壁部Ｂからは一定幅の内向きのフランジ部を形成し、可動部材における前記挟着面と側壁部Ｂのフランジ部先端との間に前記スリット状の差し込み部を構成すると共に、側壁部Ａのフランジ部先端を可動部材に対するストッパーとし、かつ可動部材の挟着面側の底部先端からは側壁部Ｂに対するストッパーを突出させた、宝飾品の展示台である。
【００１２】
（第３発明の構成）
上記課題を解決するための本願第３発明の構成は、前記第１発明又は第２発明に係る箱状の展示台本体の上面開口部、側壁部Ａと側壁部Ｂのフランジ部及びスリット状の差し込み部の内部を柔軟材料を用いた表面装飾材で被覆した、宝飾品の展示台である。
【００１３】
（第４発明の構成）
上記課題を解決するための本願第４発明の構成は、前記第１発明〜第３発明のいずれかに係る箱状の展示台本体を、これよりややサイズが大きく上面が開口された外箱の内部に収納した、宝飾品の展示台である。
【００１４】
（第５発明の構成）
上記課題を解決するための本願第５発明の構成は、前記第１発明〜第４発明のいずれかに係るバネが圧縮状態のコイルバネであって、このコイルバネを可動部材より側壁部Ａ方向へ突出させた軸棒に嵌合した、宝飾品の展示台である。
【００１５】
（第６発明の構成）
上記課題を解決するための本願第６発明の構成は、前記第５発明に係る軸棒を、側壁部に設けた孔に貫通させて展示台本体の外側まで突出させた、宝飾品の展示台である。この第６発明において、「側壁部」とは少なくとも側壁部Ａを含み、展示台本体が第４発明のように外箱の内部に収納されている場合には、外箱における該当する側壁部も含む。
【００１６】
（第７発明の構成）
上記課題を解決するための本願第７発明の構成は、単一の展示台を収納するための、カバー蓋を有し又は有しないケース本体内に、第１発明〜第６発明のいずれかに係る宝飾品の展示台を収納した、宝飾品展示用ケースである。
【００１７】
（第８発明の構成）
上記課題を解決するための本願第８発明の構成は、カバー蓋を有し、又は有しないケース本体内に、多数の窓枠を有するフレームを設け、これらの窓枠に第１発明〜第６発明のいずれかに係る宝飾品の展示台を嵌め込んだ、宝飾品展示用ケースである。
【発明の効果】
【００１８】
（第１発明の効果）
第１発明においては、側壁部ＡＢ間を進退移動でき、かつバネにより側壁部Ｂ方向へ付勢された可動部材を設け、この可動部材の挟着面と側壁部Ｂとの間で差し込み部を構成したので、可動部材の移動により、差し込み部構成部材における僅かな圧縮・変形の許容範囲を超えて、スリット状の差し込み部の幅を大きく変えることができる。
【００１９】
従って、厚身のリング部を有する宝飾品から細身のリング部を有する宝飾品まで、任意の宝飾品を固定することができる。しかも、厚身のリング部を有する宝飾品でも、細身のリング部を有する宝飾品でも、ほとんど同じ強さで固定することができる。
【００２０】
更に、比較的厚身のリング部を有する宝飾品を差し込んで展示している間は、要するに可動部材が差し込み部から後退移動しているだけであるから、その後に比較的細身のリング部を有する宝飾品を差し込むと、再び可動部材が差し込み部方向へ前進移動することにより、その宝飾品に対する固定力に差が出ない。
【００２１】
（第２発明の効果）
第２発明のように、側壁部Ａ及び側壁部Ｂからの内向きのフランジ部と、側壁部Ｂに対する可動部材のストッパーとを形成することにより、スリット状の差し込み部を展示台本体の中央部寄りに構成し、かつ、可動部材の可動範囲も展示台本体の中央部寄りの部位に限定することができる。その結果、差し込み部及び可動部材に関する構成をコンパクトに構成でき、可動部材の設計の簡易化及び動作の正確化を図ることができる。
【００２２】
（第３発明の効果）
第３発明によって展示台本体の上面を良好な外観に整えることができる。又、差し込み部において宝飾品のリング部をソフトに固定することができる。更に、上記の第２発明のように内向きのフランジ部を形成した場合においては、展示台本体の上面開口部が小さくなるため、表面装飾材による被覆部に不体裁な凹みを生じる恐れがない。
【００２３】
（第４発明の効果）
外箱を美麗な外観とすることにより、展示台の外観を良好に整えることができる。即ち、展示台本体を外箱の内部に収納する形式とした場合、展示台本体そのものの外観は、その上面部（台座）を除いては余り構う必要がないから、例えば相対向する側壁部Ａ、Ｂ以外の側壁部を備えない構成とすることができる。その結果、展示台本体の可動部材やバネ等の取り替え、修理等が容易になる。
【００２４】
又、蓋付きの外箱を用いると、展示台本体を単一の独立した宝飾品ケースとして構成することができる。更に、宝飾品展示用ケースの窓枠に合致した形状の外箱内に展示台本体を収納することにより、展示台本体の設計や構成の如何に関わらず、宝飾品展示用ケース内に良好に収納・展示することができる。
【００２５】
（第５発明の効果）
可動部材を付勢するバネとして、第５発明のように軸棒に嵌合したコイルバネを用いることにより、バネ機構を極めて簡易に構成することができる。コイルバネは、軸棒に嵌合することにより、外れる恐れがなく、しかも常に正しい方向へ可動部材を付勢することができる。
【００２６】
（第６発明の効果）
第６発明の構成により可動部材の移動が軸棒によって障害される恐れがない。又、可動部材を軸棒ごと展示台本体から取り外すことが可能となるので、バネ、可動部材あるいは軸棒の取り替えや修理が簡単にできる。
【００２７】
（第７発明の効果）
第７発明の宝飾品展示用ケースにより、宝石付き指輪その他のリング部を有する宝飾品を体裁良く展示し、又は携帯、運搬することができる。この宝飾品展示用ケースは、宝飾品の収納・保管用、宝飾品店の店頭やデパートの宝飾品売り場等における展示用等として便利に用いることができる。
【００２８】
（第８発明の効果）
第８発明の宝飾品展示用ケースにより、宝石付き指輪その他の多数又は多種のリング部を有する宝飾品をまとめて展示、携帯、運搬することができる。従って、この宝飾品展示用ケースは、宝飾品の収納・保管用、宝飾品のセールス時における携帯用、宝飾品店の店頭やデパートの宝飾品売り場等における展示用等として便利に用いることができる。
【発明を実施するための最良の形態】
【００２９】
次に、本願の第１発明〜第８発明の実施形態を、その最良の形態を含めて説明する。以下において単に「本発明」と言うときは、内容的に該当する１又は２以上の各発明を指している。
【００３０】
〔宝飾品の展示台〕
本発明に係る宝飾品の展示台は、上面が開口された箱状の展示台本体に、後述の可動部材と付勢用のバネとを設け、かつ、差し込み部を構成したものである。展示台本体について「箱状」とは、平面形状や側面形状が方形である必要はなく、相対向する側壁部Ａ及び側壁部Ｂを備える限りにおいて、上面が開口された任意の立体形状の容器であり得る。しかもその容器の形態は、少なくとも対向する側壁部Ａ及び側壁部Ｂと、これらの側壁部をつなぐ底壁部を備えていれば良く、必ずしも四周に側壁部を備える必要はない。
【００３１】
展示台本体は蓋体（展示台本体とは別体の、又はヒンジ等で連結された蓋体）とセットで構成することもでき、あるいは、展示台本体を外箱の内部に収納したり、後述の宝飾品展示用ケースに収納することもできる。いずれの場合にも展示台本体の上面（台座）は、柔軟材料を用いた表面装飾材で美麗に被覆することが好ましい。展示台本体の側壁部や底壁部は、特に展示台本体を外箱や宝飾品展示用ケースに収納する場合において、美麗に装飾する必要はない。
【００３２】
〔可動部材と付勢用のバネ〕
可動部材は、展示台本体の内部において、相対向する側壁部Ａ及び側壁部Ｂ間を進退移動できるように設けられる。具体的には、側壁部Ａと可動部材との間に、可動部材を側壁部Ｂ方向へ付勢するバネを設ける。そのため、可動部材はバネの力で付勢方向へ移動し、又はバネの力に抗して反対方向へ移動できる。
【００３３】
上記のバネの種類や付勢機構の構成は限定されない。但し、可動部材と側壁部Ａとの間に圧縮状態のコイルバネを介在させると言う構成が、可動部材の機構の簡易性及び機能の確実性等の点で特に好ましい。その場合、コイルバネは可動部材より側壁部Ａ方向へ突出させた軸棒に嵌合させることが特に好ましい。このような軸棒は、可動部材の可動範囲を大きく確保するため、側壁部に設けた孔に貫通させることが、とりわけ好ましい。
【００３４】
可動部材の形状は特に限定されないが、可動部材と側壁部Ｂとの間で差し込み部が構成されるので、可動部材の前面である挟着面（側壁部Ｂ側の面）は平坦であることが好ましい。挟着面は、結果的に差し込まれる宝飾品の固定角度を決定するので、実施例に示すように、この挟着面を意図的にある程度の傾斜面としても良い。この場合、展示台の宝飾品を斜め上方の角度より観察するケースの多い顧客に対して、宝飾品が好ましい角度で固定される。
【００３５】
〔差し込み部〕
差し込み部は可動部材の挟着面と側壁部Ｂとの間に構成されるが、より好ましくは、「第２発明の効果」欄で前記した理由から、側壁部Ｂより一定幅の内向きのフランジ部を形成し、このフランジ部先端と挟着面との間に差し込み部が構成される。なお、側壁部Ａからも内向きのフランジ部を形成し、このフランジ部の先端を可動部材に対するストッパーとすること、及び／又は、可動部材の挟着面側の底部先端からは側壁部Ｂに対するストッパーを突出させることも好ましい。これらのストッパー機能により、可動部材の過剰な移動が制約される。
【００３６】
可動部材の挟着面と側壁部Ｂ側とで、そのまま差し込み部を構成することも可能である。しかし、外観上の問題、差し込まれる宝飾品に対する緩衝効果等の理由から、差し込み部の内部を柔軟材料を用いた表面装飾材で被覆することが好ましい。
【００３７】
従って、前記の展示台本体の上面の被覆と併せ、展示台本体の上面開口部、側壁部Ａと側壁部Ｂ（及びそれらのフランジ部）及び差し込み部の内部を、柔軟材料を用いた１枚の表面装飾材で被覆することが、最も好ましい。この場合、表面装飾材は、差し込み部において展示台本体の内部側へ深く折り込まれる。表面装飾材としては、例えば、軟質発泡樹脂のスポンジからなるシート材で裏打ちされた飾り布を好ましく例示することができる。
【００３８】
〔宝飾品展示用ケース〕
単品展示用の宝飾品展示用ケースは、第７発明のように、カバー蓋を有し又は有しないケース本体内に前記した宝飾品の展示台を収納したものである。
【００３９】
前記第８発明に係る宝飾品展示用ケースのケース本体は、カバー蓋を有し、又は有しない。ケース本体内には、多数の窓枠を有するフレームを設ける。これらの窓枠は、上記した展示台本体、あるいは展示台本体を内部に収納した外箱を嵌合できるように構成されている。各窓枠は有底の箱状に形成しても良く、単に碁盤目状に枠体が形成された平板状のものであっても良い。
【実施例】
【００４０】
次に本発明の実施例を説明する。本発明の技術的範囲が以下の実施例によって限定されないことは、もち論である。
【００４１】
（実施例１：宝飾品の展示台の構成）
本実施例に係る宝飾品の展示台１は、図１及びその中央縦断面図である図２に示すように、上面が開口された四角形の箱状を呈する外箱２の内部に、これよりやや小さなサイズで、上面が開口された相似形四角形の箱状を呈する展示台本体３を収納したものである。
【００４２】
外箱２の外周面は体裁良く表面修飾され、その側壁部の頂部には蓋体等を被せる場合に備えた段部４が形成されている。又、外箱２の特定の側壁部には、後述する軸棒５を貫通させるための孔６を設けている。「箱状」と上記した展示台本体３は、少なくとも相対向する側壁部Ａ及び側壁部Ｂと、これらの側壁部をつなぐ底壁部Ｃとを備えれば良く、側壁部Ａ／Ｂと交差する方向の側壁部は有っても良いし、無くても良い。
【００４３】
展示台本体３の内部には、側壁部Ａと側壁部Ｂとの間に、図２に示す断面形状を有する可動部材７を設けている。可動部材７は、展示台本体３の底壁部Ｃ上を滑動するもので、この可動部材７と前記の側壁部Ａとの間には圧縮状態のコイルバネ８を介在させている。従って、可動部材７は、コイルバネ８により、常に側壁部Ｂ方向へ付勢されている。
【００４４】
上記のコイルバネ８は、可動部材７より側壁部Ａ方向へ突出させた前記軸棒５に嵌合されているため、コイルバネ８の全体形状の湾曲等による付勢機能の障害が防止される。又、この軸棒５は、側壁部Ａに設けた孔９及び外箱２の前記孔６に貫通しているので、可動部材７の移動を拘束しない。
【００４５】
可動部材７における側壁部Ｂ側の側面にはやや傾斜した挟着面１０が形成され、又、可動部材７の挟着面１０側の底部先端からは、側壁部Ｂに対するストッパー１１を突出させている。一方、前記側壁部Ａの頂部及び側壁部Ｂの頂部からは、それぞれ一定幅の内向きのフランジ部１２、１３を形成している。
【００４６】
これらのフランジ部１２、１３は可動部材７の頂部と同じ高さに設定されているので、側壁部Ａのフランジ部１２は可動部材７の後退移動（側壁部Ｂから離れる方向への移動）に対するストッパーとして機能する。一方、可動部材７の前進移動に対しては、可動部材７に設けた前記ストッパー１１が機能する。
【００４７】
そして図２に示すように、ストッパー１１が側壁部Ｂに当接した時でも、フランジ部１３の先端と挟着面１０との間には一定幅の間隙部が残り、この間隙部が宝飾品の差し込み部１４として利用される。実際には、宝飾品に対する緩衝作用や外観上の考慮等から、差し込み部１４の内側部分を含め、側壁部Ａのフランジ部１２から、展示台本体３の上面開口部、側壁部Ｂのフランジ部１３までに至る全体を表面装飾材１５で被覆している。この表面装飾材１５は、柔軟な発泡樹脂からなるシート状のスポンジ材によって裏打ちされた飾り布である。結果的に、上記の差し込み部１４は、図２に示すように表面装飾材１５を展示台本体３の内部側へ深く折り込んだスリット状の溝として構成される。
【００４８】
（実施例２：宝飾品の展示台の使用状態）
上記のように構成された宝飾品の展示台１の使用状態を、図３〜図５に基づいて説明する。図３には、リング部１６を有する宝飾品１７を宝飾品の展示台１の差し込み部１４に差し込んで固定した状態を示す。又、この内、リング部１６が比較的に細身である場合の図３の中央縦断面図を図４に示し、リング部１６が比較的に太身である場合の図３の中央縦断面図を図５に示す。図４、図５のいずれの場合にも、前記したように、可動部材７の挟着面１０の傾斜に従った角度で宝飾品１７が固定される。
【００４９】
図４の場合、宝飾品１７のリング部１６が比較的に細身であるため、可動部材７は前記図２の状態に比較して少しだけ後退移動した位置にある。図５の場合、宝飾品１７のリング部１６が比較的に太身であるため、可動部材７は前記図２の状態に比較してやや大きく後退移動した位置にある。図４の場合と図５の場合の差異はそれだけである。
【００５０】
そしていずれの場合にも、宝飾品１７のリング部１６は、差し込み部１４に差し込んだ状態において、コイルバネ８の付勢力により、表面装飾材１５を介してソフトに挟着され、固定される。
【００５１】
（実施例３：宝飾品展示用ケース）
図６に示す宝飾品展示用ケース１８は、ケース本体１９と、ケース本体１９にたいして図示省略のヒンジで連結された蓋体であるカバー２０からなる。ケース本体１９とカバー２０とはロック状態で閉じることが可能であり、かつ、通常の携帯用ボックスケースの如き把手部を備えている。
【００５２】
ケース本体１９には多数の窓枠２１を有するフレーム２２が組み込まれ、これらの多数の窓枠２１には上記の宝飾品の展示台１がそれぞれ嵌め込まれている。そして、一部の展示台１について例示するように、展示台１の差し込み部１４には上記の宝飾品１７が上記した態様で固定される。
【産業上の利用可能性】
【００５３】
本発明により、厚身のリング部を有する宝飾品から細身のリング部を有する宝飾品まで、同じ強さで良好に固定・展示できる宝飾品の展示台と、これらの展示台を多数収納した宝飾品展示用ケースが提供される。
【図面の簡単な説明】
【００５４】
【図１】実施例に係る宝飾品の展示台の斜視図である。
【００５５】
【図２】図１の断面図である。
【００５６】
【図３】宝飾品の展示台の使用状態を示す斜視図である。
【００５７】
【図４】細身のリング部を有する宝飾品に対する使用状態を示す断面図である。
【００５８】
【図５】太身のリング部を有する宝飾品に対する使用状態を示す断面図である。
【００５９】
【図６】実施例に係る宝飾品展示用ケースの斜視図である。
【符号の説明】
【００６０】
１              宝飾品の展示台
２              外箱
３              展示台本体
５              軸棒
７              可動部材
８              コイルバネ
Ａ，Ｂ          側壁部
１０            挟着面
１２，１３      フランジ部
１４            差し込み部
１５            表面装飾材
１６            リング部
１７            宝飾品
１８            宝飾品展示用ケース
２１            窓枠
２２            フレーム
【図１】
2006006441.tif 000003
【図２】
2006006441.tif 000004
【図３】
2006006441.tif 000005
【図４】
2006006441.tif 000006
【図５】
2006006441.tif 000007
【図６】
2006006441.tif 000008